(57)【要約】【課題】ガスタービンエンジン用の燃料噴射器が提供される。【解決手段】燃料噴射器４０は、噴射器を通る付随される流路を形成する３本の導管６０、６２、および６４を有する。この代表的な実施例において、それぞれの導管の上流側部分は、フランジ４２の外側面６６から突出し、かつ付随される入口６８、７０、および７２を有する。第１流路（第１導管６０を通る）は、パイロット流路であり、出口開口８０において終端する。第２流路（第２導管６２を通る）は、主液体燃料流路であり、パイロット開口８０の外側にある出口開口８２の円形配列内で終端する。第３流路（第３導管６４を通る）は、気体燃料流路であり、開口８２の外側にある出口開口８４の円形配列内で終端する。【選択図】図２
2005127708.tif 000002
【特許請求の範囲】
【請求項１】
取付けフランジと、
取付けフランジにおける基端部から末端部へ延びるステムと、
ステム末端部に近接するノズルと、
ステムを通して、かつノズルにおける第１の入口から第１の出口へ延びる第１の流路であって、第１の出口が、第１の複数の開口を備える、第１の流路と、
ステムを通して、かつノズルにおける第２の入口から第２の出口へ延びる第２の流路であって、第２の出口が、第１の複数の開口の概略内側にある第２の複数の開口を備える、第２の流路と、
ステムを通して、かつノズルにおける第３の入口から第３の出口へ延びる第３の流路であって、第３の出口が、第１の複数の開口の一般に内側にある少なくとも１つの第３の開口を備える第３の流路と、
を備えることを特徴とする、ガスタービンエンジン用の燃料噴射器。
【請求項２】
第１の流路は、第２の流路の有効断面積よりも大きい有効断面積を有し、
第１の流路の有効断面積は、第３の流路の有効断面積よりも大きいことを特徴とする請求項１記載の器具。
【請求項３】
それぞれの長さの主要部分に沿って、第１、第２および第３の流路は、それぞれの第１、第２および第３の導管内にあることを特徴とする請求項１記載の器具。
【請求項４】
第１の流路は、出口空間部を備えることを特徴とする請求項３記載の器具。
【請求項５】
空気を受け入れる少なくとも１つの空気入口を有する燃焼室と、
第１の気体燃料の少なくとも第１の供給源と、
第２の実質的に液体の燃料の少なくとも第２の供給源と、
第１と第２の燃料を空気へ導入するように位置決めされる少なくとも１つの燃料噴射器と、
を備えることを特徴とする、ガスタービンエンジン用の燃焼器システム。
【請求項６】
第１と第２の供給源は、第１と第２の供給源に共通の液体燃料供給源を有する燃料システムの部分を備え、第２の供給源は、液体燃料を気化して第１の燃料を形成することを特徴とする請求項５記載のシステム。
【請求項７】
少なくとも１つの燃料噴射器は、
第２の燃料のパイロット部分を流すパイロット流路と、
第２の燃料の第２の部分を流す主液体流路と、
第１の燃料を流す気体燃料流路と、
をさらに備えることを特徴とする請求項５記載のシステム。
【請求項８】
液体形態の燃料源が付属するガスタービンエンジンに燃料を供給する方法であって、
燃焼器へ液体として送出される燃料のパイロット流をエンジンへ導くテップと、
燃焼器へ液体として燃料の第１の追加流を送出するステップと、
燃料の一部分を気化して、その気化された部分を燃料の第２の追加流として燃焼器へ蒸気として送出するステップと、
を含むことを特徴とする方法。
【請求項９】
少なくともある一定の条件において、第１と第２の追加流は同時に供給されることを特徴とする請求項８記載の方法。
【請求項１０】
第１と第２の追加流は同時に供給され、また第２の追加流の質量流量は、メインバーナ合計燃料流量の４０〜７０％であることを特徴とする請求項８記載の方法。
【請求項１１】
気化するステップは、エンジン上の、またはエンジンに付属する少なくとも１つのシステムから前記部分へ熱を引き出すステップを含むことを特徴とする請求項８記載の方法。
【請求項１２】
少なくとも１つのシステムからの所要の熱抽出量と、エンジン用の所要の合計燃料流量との組合せに基づいて、第１の流量の第２の流量に対する比を動的に平衡させるステップをさらに含むことを特徴とする請求項１１記載の方法。
【発明の詳細な説明】
【技術分野】
【０００１】
本発明は、ガスタービンエンジン燃焼に関する。特に本発明は、航空機ガスタービンエンジン用の燃料噴射システムに関する。
【０００２】
（米国政府の権益）
本発明は、米国空軍により与えられた契約Ｆ３３６１５−９５−Ｃ−２５０３に基づく米国政府援助でなされた。米国政府は、本発明において一定の権利を有する。
【背景技術】
【０００３】
通常のガスタービンエンジンには、液体燃料が供給される。典型的な構成においてエンジンの燃焼器には、一つまたは複数の燃料噴射器が設けられ、それぞれの噴射器は、燃料の主流を導入する複数の出口を備えた主流路と、燃料のパイロット流を導入するパイロット流路とを有する。パイロット流はエンジンの始動を開始させ、エンジン作動エンベロープ全体に亘ってとどまることができる。その主流を、アイドル条件より上だけで起動でき、かつエンジンの出力（たとえば、航空機用のスラスト）を制御するように調節できる。種々の性能の理由のために、気体燃料（気化された燃料を含む）を使用することが知られている。燃料をヒートシンクとして使用することも知られている。
【発明の開示】
【課題を解決するための手段】
【０００４】
したがって本発明の１つの態様は、ガスタービンエンジン用の燃料噴射器に関する。その噴射器は、取付けフランジと、取付けフランジにおける基端部から末端部へ延びるステムと、ステム末端部に近接するノズルとを備える。第１の流路が、ステムを通して、ノズルにおける第１の入口から第１の出口へ延びる。第１の出口は、多数の開口を有する。第２の流路が、ステムを通して、ノズルにおける第２の入口から第２の出口へ延びる。第２の出口は、第１の流路の開口の概略内側にある多数の開口を備える。第３の流路が、ステムを通して、ノズルにおける第３の入口から第３の出口へ延びる。第３の出口は、第１の流路の開口の概略内側にある少なくとも１つの開口を有する。
【０００５】
種々の実施例において第１の流路は、第２の流路の有効断面積よりも大きい有効断面積を有することができる。第１の流路の有効断面積は、第３の流路の有効断面積よりも大きくできる。それぞれの長さの主要部分に沿って、第１、第２および第３の流路は、それぞれの第１、第２および第３の導管内にあることができる。第１の流路は、出口空間部を備えることができる。
【０００６】
本発明の他の態様は、ガスタービンエンジン用の燃焼器システムに関する。燃焼室が、空気を受け入れる少なくとも１つの空気入口を有する。第１の気体燃料の少なくとも第１の供給源と、第２の実質的に液体の燃料の少なくとも第２の供給源とがある。少なくとも１つの燃料噴射器が、第１と第２の燃料を空気へ導入するように位置決めされる。
【０００７】
種々の実施例において、第１と第２の供給源は、第１と第２の供給源に共通の液体燃料供給源を有する燃料システムの部分を備えることができ、第２の供給源は、液体燃料を気化して第１の燃料を形成する。噴射器は、第２の燃料のパイロット部分を流すパイロット流路と、第２の燃料の第２の部分を流す主液体流路と、第１の燃料を流す気体燃料流路とを有することができる。
【０００８】
本発明の他の態様は、液体形態の燃料源が付属するガスタービンエンジンに燃料を供給する方法に関する。エンジンには、燃焼器へ液体として送出される燃料のパイロット流が導かれる。燃料の第１の追加流も、燃焼器へ液体としてを送出される。燃料の一部分が気化されて、燃料の第２の追加流として燃焼器へ蒸気として送出される。
【０００９】
種々の実施例において、少なくともある一定の条件において、第１と第２の追加流は同時に供給できる。第２の追加流の質量流量は、メインバーナ合計燃料流量の４０〜７０％にできる。気化するステップは、エンジン上の、またはエンジンに付属する少なくとも１つのシステムからその部分へ熱を引き出すステップを含むことができる。第１の流量の第２の流量に対する比を、少なくとも１つのシステムからの所要の熱抽出量と、エンジン用の所要の合計燃料流量との組合せに基づいて、動的に平衡させることができる。
【００１０】
本発明の一つまたは複数の詳細が、添付図面および以下の説明に記載される。本発明の他の特徴、目的、および利点は、説明と図面から、および請求項から明らかになる。
【発明を実施するための最良の形態】
【００１１】
種々の図面における同様な参照番号と符号は、同様な構成部材を示す。
【００１２】
図１は、燃焼室２２を有するタービンエンジン燃焼器セクション２０を示す。燃焼室は、上流側バルクヘッド２４と、バルクヘッドからタービンセクション（図示せず）の前の出口３０へ後部に延びる内側壁２６および外側壁２８とを有する。バルクヘッドおよび壁２６と２８は、アウタシェルとインナパネルの配列を有する二重層構造のものにできる。バルクヘッドは、燃焼室への上流側空気入口を形成する一つまたは複数のスワーラ３２を内蔵する。燃料噴射器４０を、スワーラ３２のそれぞれに付随させることができる。代表的な燃料噴射器４０は、エンジンケース４４へ固定される外側フランジ４２を有する。脚部４６が、そのフランジから内方へ延びて、足部４８で終端し、その足部は、付随されるスワーラ中に延び、かつ燃料をスワーラを通過する空気に導入する出口を有する。一つまたは複数の点火装置５０が、エンジンケースへ取付けられており、スワーラから放出される燃料／空気混合物を点火するために燃焼室内へ延びる先端部５２を有する。
【００１３】
代表的な燃料噴射器４０（図２）は、噴射器を通る付随される流路を形成する３本の導管６０、６２、および６４を有する。この代表的な実施例において、それぞれの導管の上流側部分は、フランジ４２の外側面６６から突出し、かつ付随される入口６８、７０、および７２を有する。第１流路（第１導管６０を通る）は、パイロット流路であり、出口開口８０（図５）において終端する。第２流路（第２導管６２を通る）は、主液体燃料流路であり、パイロット開口８０の外側にある出口開口８２の円形配列内で終端する。第３流路（第３導管６４を通る）は、気体燃料流路であり、開口８２の外側にある出口開口８４の円形配列内で終端する。
【００１４】
図６は、より詳細な流路を示す。気体燃料流路は、噴射器脚部内に脚部９０を有し、そこにおいて、付随される導管６４が、実質的に管状である。噴射器足部に沿ってその導管は、気体燃料流路の空間部分９６を間に形成する内壁９２と外壁９４を有する環状形態になる。壁９２と９４は、角度を付けられた端壁９８において接合され、そこにおいて、付随する出口開口８４が形成される。主液体燃料流路は、脚部１００と空間部分１０２により、ほぼ同様に形成される。その空間部は、外壁１０４により横方向に仕切られ、かつ下流側端部において端壁１０６により仕切られ、そこにおいて、付随する出口開口８２が形成される。代表的な実施例において、空間部の内壁は、第１導管６０の足部１１０により形成される。
【００１５】
噴射器足部に沿って、第１導管６０の足部１１０は、第２流路の脚部と空間部分との交差点近くで第２導管６２の開口１１２を通過する。そこにおいて第１導管は、ろう付けなどにより第２導管へ固定される。同様にして、第１導管６０の端部を、端板１０６の開口１１４内に固定できる。この固定は、第１および第２導管が液体燃料を流しているときに両方の導管間に比較的に応力がほとんど無いので適切である。しかしながら第３導管の足部の内壁９２は、スペーサ１２０により、第２導管の足部の外壁１０４から離間するように保持される。好都合には、そのスペーサは、これらの２本の導管の１本に関して浮上でき、かつ他の１本に固定できる。これにより、第１および第２導管に関して第３導管の比較的自由に浮上する熱膨張差が許容される。というのは、第３導管が、それが流す気体燃料により、より高温に加熱されるからである。
【００１６】
外部に、噴射器は、脚部１３０と足部１３２を有する断熱部を備える。第２および第３導管の足部の場合のように、第３導管の足部と断熱足部は、スペーサ１３４により離間するように保持され、そのスペーサを、熱膨張差を許容するように２つの足部の１つへ固定できる。脚部内において、３本の導管の脚部を収納する３つの開口と、および断熱脚部の内面１４４に近接してぴったりと面する外周部１４２（図７）とを有する幾つかのつば板１４０を設けることができる。この代表的な実施例において第１および第２開口は、第１および第２導管の脚部を非常に密接して収納し、またつば板は、ろう付けなどにより、そのような開口の周りに第１および第２導管へ固定される。第３開口は、気体燃料が通過するときに第３開口内で第３導管の熱膨張ができるように、第３導管の脚部を、より緩く収納する。
【００１７】
図８は、液体として貯留される燃料１６４の代表的な貯留器１６２を備える代表的な燃料供給システム１６０を示す。液体としての燃料を燃料噴射器へ送出するために送出するために、貯留器からの一つまたは複数の第１燃料流路１７０が設けられる。代表的な実施例において、それぞれの噴射器用の第１燃料流路は、噴射器内で、またはその近くで分岐されるので、一方の分岐流路がパイロット導管６０を給液し、また他方の分岐流路が液体導管６２を給液する。液体導管６２を、燃料噴射器内の、またはその近くの弁（図示せず）により封止できる。その弁は、通常は閉止され、十分な液体燃料圧力があるときにだけ開放できる。そのような実施例においてパイロット導管は、液体燃料流があるときは何時でも燃料を常に流しており、また主液体導管は、燃料流量が最大パイロットレベルを超えるときだけ開放する。
【００１８】
加えて、気体としての燃料を送出する一つまたは複数の流路１８０が設けられる。気体と液体の流路は、部分的に重なり合うことができ、またそのいずれかの系統において、流路は部分的に重なり合うことができる。気体流路は、そのような気体流路に沿う液体燃料へ熱を伝達して、そのような燃料を気化する熱交換器１８２を備える。この代表的な実施例において熱交換器は、一つまたは複数の流路１９０に沿って流れる一つまたは複数の熱供与流体から熱を引き出す流体と流体の間の熱交換器である。代表的な熱供与流体は、高圧圧縮機出口からの空気である。気体燃料の送出は、熱交換器の下流側にある一つまたは複数の圧力調節弁１９２により調節される。供与流体流路において制御弁１９４が、設けられて、そのような供与流体流路を通る流量を制御できる。図８は、通過する流れを調節する供与流体流路における代表的なオリフィス板１９６も示す。そのオリフィス板は、供与流体流路に沿う流量を計量するように機能する。さらに図８は、燃料流路に沿う種々の位置における流量計２００、フィルタ２０２、および制御弁２０４も示す。
【００１９】
作動において、所要のエンジン出力が、燃料の所要の合計量を実質的に決定することになる。供与流体流路１９０からの所要の熱抽出量が、気体流路１８０に沿って通過するそのような燃料の量を実質的に決定することになる。貯留器における液体燃料と、送出蒸気との温度が変わることがあるが、気化の潜熱は、気化された燃料の質量流量を所要の熱抽出量へ強く関連づける。したがって作動において、制御システム（図示せず）は、所要の熱抽出量を考慮して、液体として送出される燃料と蒸気として送出される燃料との割合を動的に平衡させることができる。作動において、合計燃料の質量流量に対するパイロット燃料の質量流量は、小さくできる（たとえば、亜音速巡航条件でのパイロット流量の場合は１０％未満）。高圧圧縮機は、高い飛行マッハ数で生じる高温を受ける。かくして超音速条件においては、巡航中の、より大きい熱伝達が必要になり、好ましい平衡をそのような速度における蒸気へ向けて偏らせる。その制御システムは、主液体燃料流量が中間出力において容量限界値に達するようにサイズを決めることができる。かくして、高出力非巡航条件において（たとえば、最大出力まで）、熱伝達要件と高い合計燃料要件の両方は、液体燃料の最大流量に加えて気化された燃料の大幅の使用を指示でき、かくして平衡を蒸気へ向けて偏らせる（少なくとも、低亜音速巡航条件における低蒸気流量またはゼロ蒸気流量に対して）。
【００２０】
一例において、最大ドライ出力運転において蒸気システムが、０．５よりも大きいマッハ数で採用されるであろうし、一方、巡航出力運転または部分出力運転において蒸気システムが、１．０よりも大きいマッハ数で採用されるであろう。第３流路に沿って送出される燃料の質量流量は、代表的な超音速巡航条件においてメインバーナ（たとえば、オーグメンタを除く）合計燃料流量の４０〜７０％、代表的な亜音速巡航条件において３０〜５０％、代表的な亜音速最大出力条件において４０〜７０％、および代表的な超音速最大出力条件において６０〜８０％にできる。第２流路と第３流路の有効断面積の比を、１：２と１：４との間にできる。
【００２１】
本発明の一つまたは複数の実施例を説明してきた。それにもかかわらず、種々の変更形態を、本発明の精神と範囲から逸脱することなく実施できることが分かる。たとえば、本発明は、種々の既存または他の燃焼システム構成に適用できる。そのような基本的構成の詳細は、任意の具体的な実施例の詳細に影響する。したがって他の実施態様は、添付の請求項の範囲内にある。
【図面の簡単な説明】
【００２２】
【図１】ガスタービンエンジン燃焼器の長手方向部分断面図である。
【図２】図１のエンジンの燃料噴射器の側面図である。
【図３】図２の燃料噴射器の後部図である。
【図４】図２の燃料噴射器の内側図である。
【図５】図２の燃料噴射器の端面図である。
【図６】図２の燃料噴射器の長手方向部分断面図である。
【図７】７−７線に沿って切りとった図２の噴射器の断面図である。
【図８】燃料供給システムの概略図である。
【符号の説明】
【００２３】
２０…タービンエンジン燃焼器セクション
２２…燃焼室
４０…燃料噴射器
４２…外側フランジ
４６…脚部
４８…足部
６０、６２、６４…第１、第２、第３導管
６８、７０、７２…入口
８０、８２、８４…出口開口
９０…気体燃料流路の脚部
９６…気体燃料流路の空間部分
１００…主液体燃料流路の脚部
１０２…主液体燃料流路の空間部分
１１０…第１導管の足部
１３０…脚部
１３２…足部
１４０…つば板
１６０…燃料供給システム
１７０…第１燃料流路
１８０…燃料流路
１８２…熱交換器
１９０…熱供与流体の流路
【図１】
2005127708.tif 000003
【図２】
2005127708.tif 000004
【図３】
2005127708.tif 000005
【図４】
2005127708.tif 000006
【図５】
2005127708.tif 000007
【図６】
2005127708.tif 000008
【図７】
2005127708.tif 000009
【図８】
2005127708.tif 000010